(57)【要約】【課題】端子台部品にビスを螺合させ際に端子台部品に作用する押し方向の力が端子台部品を回路基板から剥がす方向に作用するように端子台部品を回路基板にハンダ付けせざるを得ない場合がある。このような場合には、ビスを端子台部品に螺合させる際に端子台部品が回路基板から剥がされて故障の原因になる。【解決手段】ランドに端子台部品をハンダ付けするハンダ付け部を形成し、さらにそのハンダ付け部に連続してランド上にハンダを盛って、端子台部品からランドに作用する、ランドを回路基板から剥離する方向の応力を、盛られたハンダによって分散させる。特に、上記ハンダ付け部に連続して、上記窓穴の周縁に沿ってハンダを盛ることが望ましい。【選択図】  図５
2018206577.tif 000002
【特許請求の範囲】
【請求項１】
リモコンのケーシング内部に収納される回路基板にハンダ付けされ、ケーシングの背面側に露出する端子台部品を有し、その端子台部品に形成された雌ねじ部に外部からビスがドライバによって螺合され、その螺合されたビスと端子台部品とで外部からの配線を挟んで固定するリモコンの端子台構造において、上記回路基板は前面側に電子部品がハンダ付けされた片面実装基板で有り、この回路基板に上記雌ねじ部が背面側に露出する窓穴を形成し、この窓穴の前面側の周囲にランドを設け、そのランドに端子台部品をハンダ付けするハンダ付け部を形成し、さらにそのハンダ付け部に連続してランド上にハンダを盛って、端子台部品からランドに作用する、ランドを回路基板から剥離する方向の応力を、盛られたハンダによって分散させることを特徴とするリモコンの端子台構造。
【請求項２】
上記ハンダ付け部に連続して、上記窓穴の周縁に沿ってハンダを盛ることを特徴とする請求項１に記載のリモコンの端子台構造。
【発明の詳細な説明】
【技術分野】
【０００１】
本発明は、壁などに固定されるリモコンに通信線などの外部からの配線を連結する端子台の構造に関する。
【背景技術】
【０００２】
リモコンなどの電子機器に対して外部から通信線や電力線などの配線を接続するために、電子機器には端子台が設けられている。この端子台は一般的に、雌ねじ部が設けられた金属製の端子台部品が電子機器側に固定されており、この端子台部品の雌ねじ部に螺合するビスと端子台部品とで配線の先端を挟むことによって、配線を端子台部品に固定し、かつ電気的に接続している（例えば、特許文献１参照）。
【先行技術文献】
【特許文献】
【０００３】
【特許文献１】特開２０１０−２７４１０号公報（図１）
【発明の概要】
【発明が解決しようとする課題】
【０００４】
上記のような構造の端子台では、ビスを締める際にドライバからビスを介して端子台部品に押し方向の力が作用する。そのため、端子台部品はその押し方向の力が作用しても外れないように強固に保持されている。
【０００５】
一方、端子台部品を回路基板に直接ハンダ付けするタイプの端子台構造では、このような押し方向の力が端子台部品に作用した場合に、端子台部品が回路基板から外れないように、押し方向の力が作用すると、端子台部品が回路基板に押し付けられるように端子台部品が回路基板にハンダ付けされていることが望ましい。
【０００６】
ところが、設計上の制約から、上記の押し方向の力が端子台部品を回路基板から剥がす方向に作用する状態で端子台部品を回路基板にハンダ付けせざるを得ない場合がある。このような場合には、ビスを端子台部品に螺合させる際に端子台部品が回路基板から剥がされて故障の原因となるおそれがある。
【０００７】
そこで本発明は、上記の問題点に鑑み、ビスの締め付け時に端子台部品に作用する力が端子台部品を回路基板から剥がす方向に作用しても、端子台部品が回路基板から剥がれにくいリモコンの端子台構造を提供することを課題とする。
【課題を解決するための手段】
【０００８】
上記課題を解決するために本発明によるリモコンの端子台構造は、リモコンのケーシング内部に収納される回路基板にハンダ付けされ、ケーシングの背面側に露出する端子台部品を有し、その端子台部品に形成された雌ねじ部に外部からビスがドライバによって螺合され、その螺合されたビスと端子台部品とで外部からの配線を挟んで固定するリモコンの端子台構造において、上記回路基板は前面側に電子部品がハンダ付けされた片面実装基板で有り、この回路基板に上記雌ねじ部が背面側に露出する窓穴を形成し、この窓穴の前面側の周囲にランドを設け、そのランドに端子台部品をハンダ付けするハンダ付け部を形成し、さらにそのハンダ付け部に連続してランド上にハンダを盛って、端子台部品からランドに作用する、ランドを回路基板から剥離する方向の応力を、盛られたハンダによって分散させることを特徴とする。
【０００９】
ビスを締め付ける際に作用する力は、端子台部品がハンダ付けされているランドを回路基板から剥がす方向に作用する。その力が上記ハンダ付け部のみに作用すると、ハンダ付け部に大きな応力が作用して剥離しやすい。そこで、ハンダ付け部に連続してハンダを盛ることにより、ハンダが盛られている部分に応力を分散させてランドが剥がれにくくした。
【００１０】
なお、ランドは上記窓穴の周縁から剥がれやすい。そこで、上記ハンダ付け部に連続して、上記窓穴の周縁に沿ってハンダを盛ることが望ましい。
【発明の効果】
【００１１】
以上の説明から明らかなように、本発明は、ハンダ付け部に連続してハンダを盛ることによってランドを剥がす方向の応力を分散して、端子台部品が回路基板から外れにくくなる。
【図面の簡単な説明】
【００１２】
【図１】リモコンの正面図
【図２】リモコンの背面図
【図３】回路基板の後面と端子台部品とを示す図
【図４】端子台部品を示す図
【図５】回路基板の前面を示す図
【発明を実施するための形態】
【００１３】
図１を参照して、１は本発明による端子台構造が適用されるリモコンの一例である。このリモコン１は壁に取り付けられるものであって、壁に取り付けられた状態で前側になる面に表示及び操作を行うための前パネル１１が設けられており、この前パネル１１を囲繞するカバー１２が設けられている。
【００１４】
図２を参照して、リモコン１のケース本体１３には後面に上下２個の開口１４が設けられており、各開口１４から金属製の端子台部品２が露出している。これら端子台部品２は図外の外部からの配線を接続するものであって、同じく図外のビスを各端子台部品２に螺合させて、ビスと端子台部品２とで配線を挟んで固定し、配線を各端子台部品２に電気的に接続するように構成されている。
【００１５】
図３および図４を参照して、３は上記ケース本体１３内に内蔵されている回路基板で有り、上記端子台部品２が嵌め込まれるための窓穴３０が上下２個所に設けられている。なお、この回路基板３は前面３２側にのみ電子部品がハンダ付けにより実装されている片面実装基板で有り、裏面３１には電子部品は実装されていない。そのため、裏面３１にはハンダ付け可能なランドが設けられていない。
【００１６】
端子台部品２は前面３２側から裏面３１側に向かって窓穴３０に嵌め込まれ、端子台部品２の左右に張り出す脚部２１，２２が回路基板３の前面３２側に設けたランドにハンダ付けされることにより端子台部品２が回路基板３に固定される。
【００１７】
なお、図４に示すように、端子台部品２の脚部２１，２２は同じ形状ではなく、脚部２１の方が脚部２２と比べて張り出し長さが短くなっている。なお、２３は雌ねじ部であり、上記図外のビスが螺合するためのものである。
【００１８】
図５を参照して、回路基板３の前面３２には、上記窓穴３０を囲繞するように、端子台部品２を接続するためのランド３３が設けられている。このランド３３は回路基板３の前面３２に銅箔を貼着することによって形成されている。この前面３２に各種の電子部品をハンダ付けする際にはフローハンダを行うが、前面３２に貼着した銅箔が露出している部分には全てハンダが付着する。そこで、ハンダを付着させる個所のみを残してハンダの付着が不要な部分はソルダレジスト４を被着させて覆った。
【００１９】
上記ランド３３について、端子台部品２の脚部２１用のハンダ付け部３５と脚部２２用のハンダ付け部３６とが露出するようにソルダレジストを被着させている。ただし、張り出し長さの長い脚部２２用のハンダ付け部３６は長く張り出した脚部２２に併せて十分な面積を確保できたが、脚部２１用のハンダ付け部３５はスイッチ３４が近接しているため、面積を広く確保することができない。また、スイッチ３４との干渉を避けるために脚部２１の張り出し長さが短く設定されている。
【００２０】
ただし、そのままでは脚部２１とハンダ付け部３５との接触面積が狭くなり、端子台部品２が前面３２から剥がされる方向に力が作用すると、脚部２１からハンダ付け部３５に作用する応力が大きくなり、ハンダ付け部３５を起点としてランド３３が回路基板３から剥離するという不具合が生じるおそれがある。
【００２１】
そこで、ソルダレジストを被着する際に、ハンダ付け部３５に連続し、かつ窓穴３０の周縁に沿うように、補強部３５ａを露出させ、フローハンダの際にこの補強部３５ａにもハンダが盛られるようにした。このように構成することによって、脚部２１が回路基板３の前面３２から離れる方向に力が作用しても、その力をハンダ付け部３５と補強部３５ａとに分散させることにより応力を低減させ、ランド３３が回路基板３の前面３２から剥がれることを防止するようにした。なお、ランド３３は窓穴３０の周縁部分から剥離しやすいので、補強部３５ａを窓穴３０の周縁に沿って形成することによって剥離しやすい部分を補強して、ランド３３の剥離をより効果的に防止することが望ましい。
【００２２】
なお、本発明は上記した形態に限定されるものではなく、本発明の要旨を逸脱しない範囲内において種々の変更を加えてもかまわない。
【符号の説明】
【００２３】
１  リモコン
２  端子台部品
３  回路基板
４  ソルダレジスト
１２  カバー
１３  ケース本体
２１  脚部
２２  脚部
３０  窓穴
３１  裏面
３２  前面
３３  ランド
３４  スイッチ
３５  ハンダ付け部
３６  ハンダ付け部
３５ａ  補強部
【図１】
2018206577.tif 000003
【図２】
2018206577.tif 000004
【図３】
2018206577.tif 000005
【図４】
2018206577.tif 000006
【図５】
2018206577.tif 000007